(57)【要約】【課題】吸着力を探知可能な吸着装置を提供する。【解決手段】主にサポートユニット、吸着ユニット、探知ユニットを含む。該キャリアの適当な位置には容置部を設置し、該容置部に近い位置には槽孔を設置し、該キャリアの片面上には該槽孔と対応するウインドウ部を設置する。該各吸着ユニットはそれぞれ該容置部中に設置する吸盤を備え、該各吸盤は該棒体において露出する圧棒に可動連接し、該吸盤と該圧棒間には弾性部品を備える。該各探知ユニットは該槽孔中に設置し、一部が露出するプローブを備え、該各プローブの反対端は２個の認識区を備えウインドウ部に対応する表示部に圧迫接触し、該プローブと該表示部間には弾性部品を設置する。これにより該キャリアは該吸着ユニットを利用し壁面上に安定的に固設され、該探知ユニットを対応させ随時該吸着ユニットの吸着状況を探知し、使用時のキャリアの脱落を防止する。【選択図】  図２
0003133116.tif 000002
【実用新案登録請求の範囲】
【請求項１】
主にサポートユニット、少なくとも１個の吸着ユニット、少なくとも１個の探知ユニットを含み、
該サポートユニットはキャリアの適当な位置に容置部を設置し、しかも該容置部に近い位置には槽孔を設置し、該棒体の片面上において該槽孔と対応するウインドウ部を設置し、
該少なくとも１個の吸着ユニットは該キャリアが設置する容置部中に設置する吸盤、それぞれ該各吸盤と可動連接し、しかも該キャリア片面上において露出する圧棒、及びそれぞれ該吸盤と該圧棒間に設置する弾性部品を備え、
該少なくとも１個の探知ユニットはそれぞれ該キャリアが設置する槽孔中に設置し、しかも一端が露出するプローブ、それぞれ該各プローブ反対端と圧迫接触し、しかも該キャリアが設置するウインドウ部と対応する表示部、及びそれぞれ該プローブと該表示部間に設置する弾性部品を備え、しかも該各表示部は該ウインドウ部の片面上に対応する２個の認識区を備えることを特徴とする吸着力を探知可能な吸着装置。
【請求項２】
前記キャリアは容置ユニットであることを特徴とする請求項１記載の吸着力を探知可能な吸着装置。
【請求項３】
前記キャリアはサポートユニットで、該サポートユニットは棒体を備え、該棒体の両端はそれぞれ同側が容置部を湾曲設有し、しかも該棒体の容置部に近い位置にはそれぞれ槽孔を設置し、該棒体の片面上には該槽孔と対応するウインドウ部を設置することを特徴とする請求項１記載の吸着力を探知可能な吸着装置。
【請求項４】
前記サポートユニットは上蓋及び下蓋により構成し、しかも該容置部及び該槽孔は該下蓋の両端に設置し、該上蓋は該容置部と連通する欠口を設置し、該ウインドウ部は該欠口の片側に近接し設置することを特徴とする請求項１記載の吸着力を探知可能な吸着装置。
【請求項５】
前記各吸盤の片面上には延伸部を備え、該延伸部はピンと圧棒により可動連接されることを特徴とする請求項１記載の吸着力を探知可能な吸着装置。
【請求項６】
前記各プローブは少なくとも一部が槽孔において露出する圧迫接触部、該圧迫接触部片面に延伸設置する螺棒、及び該螺棒上に嵌設し該表示部底面と接触する固定部品により構成することを特徴とする請求項１記載の吸着力を探知可能な吸着装置。
【請求項７】
前記各表示部の２個の認識区は異なる色を認識可能であることを特徴とする請求項１記載の吸着力を探知可能な吸着装置。
【考案の詳細な説明】
【技術分野】
【０００１】
本考案は一種の吸着力を探知可能な吸着装置に関する。特に一種の随時吸着ユニットの吸着状況を探知し、使用時のキャリアの脱落を防止することができる吸着力を探知可能な吸着装置に係る。
【背景技術】
【０００２】
一般の吸盤を備えた吸着装置の応用範囲は広い。
【０００３】
浴室では滑ることによる事故の発生を防止するため、通常は適当な位置に手すりを設置するが、それに用いられる公知の吸着装置は横棒、それぞれ湾曲状を呈し横棒両端に設置する固定部により構成する。
【０００４】
装着時には、電気ドリルにより壁面上に必要な孔を開けた後、さらに該横棒両端の固定部により壁面の孔に対応させ、多数のネジを用い該固定部を壁面上に螺固する。こうして使用者に手すりを提供し、塗れた状態での滑り事故防止の機能を達成する。
【０００５】
しかし、上記公知の手すりは使用者に手すりを提供し、塗れた状態での滑り事故防止の機能を達成するが、該手すりは装着時に、先ず電気ドリルにより壁面に孔を開け、さらに多数のネジを用い、固定部を壁面上に螺固しなければならない。そのため、装着が煩雑で、しかも取り外し及び設置位置の移動共に容易でなく、さらには取り外し後には壁面に孔が残り、浴室全体の美観に悪影響を及ぼす。
【０００６】
このため業者は取り外しと装着が容易な吸盤式手すりを開発した。それは手すり部、及びそれぞれ該手すり部両端に設置し、圧棒を備えた吸盤により構成する。該構造は装着時には一切の工具が不要で、直接該吸盤により該圧棒の圧迫に対応し、浴室の必要とするタイル壁面上の適当な位置に対応吸着することができる。これにより公知のネジによる螺合の欠点を改善することができる。
【０００７】
しかし、該吸盤の設計が吸着の効果を発揮するためには、タイルの壁面（或いは滑らかな面）において使用することが必要であるが、浴室使用時にはしばしば水分及び蒸気の発生により、吸盤が脱落及び滑動する状況が発生する。該脱落及び滑動の状況は該圧棒を弾けさせることはないため、該手すりの外観からは一切の異状は見受けられない。このため一般の使用者には吸盤が脱落及び滑動の状況にあることが察知されず、もしこの時使用者が力を入れて該手すりにつかまったなら、事故の発生を防止することができないばかりか、より危険な状況が発生してしまう可能性がある。
【考案の開示】
【考案が解決しようとする課題】
【０００８】
本考案は上記構造の問題点を解決した吸着力を探知可能な吸着装置を提供するものである。
【課題を解決するための手段】
【０００９】
上記課題を解決するため、本考案は下記の吸着力を探知可能な吸着装置を提供する。
【００１０】
それは主にキャリアは吸着ユニットを利用し必要な壁面上に安定的に固設され、該探知ユニットを対応させ随時該吸着ユニットの吸着状況を探知し、使用時のキャリアの脱落を防止することができ、すなわちそれは吸着力を探知可能な吸着装置を提供し、それはキャリア、吸着ユニット以及び探知ユニットを含み、該キャリアの適当な位置には容置部を設置し、しかも該容置部に近い位置には槽孔を設置し、該キャリアの片面上には該槽孔と対応するウインドウ部を設置し、該各吸着ユニットはそれぞれ該容置部中に設置する吸盤を備え、各吸盤は該棒体において露出する圧棒を可動連接し、該吸盤と該圧棒間には弾性部品を備え、該各探知ユニットは該槽孔中に設置し、しかも一部が露出するプローブを備え、該各プローブ反対端は２個の認識区を備えたウインドウ部に対応する表示部に圧迫接触し、しかも該プローブと該表示部間には弾性部品を設置する吸着力を探知可能な吸着装置を提供する。
【考案の効果】
【００１１】
上記のように、本考案吸着力を探知可能な吸着装置は公知構造の欠点を改善可能で、該キャリアは該吸着ユニットを利用し必要な壁面上に安定的に固設され、該探知ユニットを対応させ随時該吸着ユニットの吸着状況を探知し、使用時のキャリアの脱落を防止することができ、本考案はより進歩的で実用的で、使用者の必要に合致しており、実用新案申請の要件を満たしている。
【考案を実施するための最良の形態】
【００１２】
本考案の立体分解指示図及び本考案の立体外観指示図である図１、２に示すように、本考案吸着力を探知可能な吸着装置はキャリア１、少なくとも２個の吸着ユニット２、及び少なくとも２個の探知ユニット３により構成し、これにより該キャリア１は該吸着ユニット２を利用し、必要な壁面上に安定的に固設され、該探知ユニット３を対応させ隨時該探知吸着ユニット２の吸着状況を探知し、使用時の該キャリア１の脱落を防止することができる。
【００１３】
上記のキャリア１は容置ユニット（図示なし）或いはサポートユニット１０で、本考案のキャリア１はサポートユニット１０を例とする。
【００１４】
該サポートユニット１０は棒体１１を備え、該棒体１１の両端はそれぞれ同側に容置部１２を湾曲設置し、しかも該棒体１１の該容置部１２に近い位置にはそれぞれ槽孔１３を設置する。また該棒体１１の片面上には該槽孔１３と対応するウインドウ部１４を設置し、該キャリア１は上蓋１５及び下蓋１６により構成し、これにより該容置部１２及び該槽孔１３は該下蓋１６の両端に設置され、該上蓋１５には該容置部１２と連通する欠口１７を備える。該ウインドウ部１４は該欠口１７に隣接する片側の適当な位置に設置する。
【００１５】
該各吸着ユニット２はそれぞれ該棒体１１に設置する容置部１２中に設置する吸盤２１、それぞれ該各吸盤２１と可動連接し、しかも該棒体１１片面に露出する欠口１７中の圧棒２２、及びそれぞれ該吸盤２１と該圧棒２２間に設置する弾性部品２３を備える。該各吸盤２１の片面上にはピン２１２と圧棒２２が対応し可動連接する延伸部２１１を備える。
【００１６】
該各探知ユニット３はそれぞれ該棒体１１が設置する槽孔１３中に設置し、しかも一端が露出するプローブ３１、それぞれ該各プローブ３１反対端と圧迫接触し、しかも該棒体１１が設置するウインドウ部１４に対応する表示部３２、及びそれぞれ該プローブ３１と該表示部３２間に設置する弾性部品３３を備える。
【００１７】
しかも該各プローブ３１は少なくとも１個の部が該槽孔１３において露出する圧迫接触部３１１、該圧迫接触部３１１片面に延伸設置する螺棒３１２、及び該螺棒３１２上に嵌設し該表示部３２底面と接触する固定部品３１３により構成する。該各表示部３２は該ウインドウ部１４の片面に対応し、２個の認識区３２１、３２２を備え、該２個の認識区３２１、３２２は異なる色（赤色及び緑色など）を認識する。こうして、上記構造により全く新しい吸着力を探知可能な吸着装置を構成する。
【００１８】
本考案の吸着状態断面指示図及び本考案の脱落状態断面指示図である図３、４に示すように、本考案の使用時には、先ず該各吸着ユニット２を設置しようとする壁面４上に対応接触させる。続いて、該各吸着ユニット２の圧棒２２を上方へと動かすと、該圧棒２２は該延伸部２１１を連動し、該吸盤２１を引き動かし壁面４に接着する。さらに該吸盤２１と該壁面４間の空気を排出し、こうして該各吸着ユニット２は該吸盤２１と該壁面４の安定的な吸着を利用し、該サポートユニット１は該各吸着ユニット２に対応し、必要な位置に設置される。
【００１９】
該各吸着ユニット２が該壁面４上に吸着される時、同時に該各探知ユニット３が設置するプローブ３１一端が露出する圧迫接触部３１１は該壁面４上において圧迫する。こうして該圧迫接触部３１１は該螺棒３１２を連動し、該螺棒３１２一端の固定部品３１３は該表示部３２を押し回転させ、しかも該圧迫弾性部品３３は該表示部３２の緑色認識区３２２を該棒体１１のウインドウ部１４に対応させ、こうして該吸着ユニット２が該壁面４上に安定的に吸着していることを示す。
【００２０】
一定の使用時間が過ぎ、装着が不安定になり、或いは該圧棒２２が該吸盤２１を引き動かし該壁面４に接着させることがなくなると、該各吸着ユニット２は脱落の現象が起きる。この時、該各探知ユニット３が設置するプローブ３１一端が露出する圧迫接触部３１１は該壁面４上を正確に圧迫することができなくなり、該圧迫接触部３１１は該螺棒３１２を連動し該固定部品３１３は該表示部３２を押し回転させることができなくなる。
【００２１】
こうして該弾性部品３３が圧迫を受けなくなるため、該弾性部品３３はそれが元々備える上方へと押す弾力により、該表示部３２の赤色認識区３２１は該棒体１１のウインドウ部１４に対応し、該吸着ユニット２が安定的に該壁面４上に吸着していないことを示す。これにより使用者に該吸着ユニット２と該壁面４の吸着状況を知らせる。
【００２２】
しかも本考案の探知ユニット３は実際の使用状況の必要に応じて、該プローブ３１の螺棒３１２を利用し、固定部品３１３に対応し回転を行い、こうして該圧迫接触部３１１の露出の長さを決定することができる。これにより該探知ユニット３のプローブ３１と該吸着ユニット２の吸盤２１を同一水平面上に調整することができ、こうして該探知ユニット３は確実に該吸着ユニット２に対応し最適な探知効果を達成することができる。
【図面の簡単な説明】
【００２３】
【図１】本考案の立体分解指示図である。
【図２】本考案の立体外観指示図である。
【図３】本考案の吸着状態断面指示図である。
【図４】本考案の脱落状態断面指示図である。
【符号の説明】
【００２４】
１  キャリア
１０  サポートユニット
１１  棒体
１２  容置部
１３  槽孔
１４  ウインドウ部
１５  上蓋
１６  下蓋
１７  欠口
２  吸着ユニット
２１  吸盤
２１１  延伸部
２１２  ピン
２２  圧棒
２３  弾性部品
３  探知ユニット
３１  プローブ
３１１  圧迫接触部
３１２  螺棒
３１３  固定部品
３２  表示部
３２１、３２２  認識区
３３  弾性部品
４  壁面 
【図１】
0003133116.tif 000003
【図２】
0003133116.tif 000004
【図３】
0003133116.tif 000005
【図４】
0003133116.tif 000006
【手続補正書】
【提出日】平成19年4月12日(2007.4.12)
【手続補正１】
【補正対象書類名】実用新案登録請求の範囲
【補正対象項目名】全文
【補正方法】変更
【補正の内容】
【実用新案登録請求の範囲】
【請求項１】
主にサポートユニット、少なくとも１個の吸着ユニット、少なくとも１個の探知ユニットを含み、
該サポートユニットはキャリアの適当な位置に容置部を設置し、しかも該容置部に近い位置には槽孔を設置し、該キャリアの片面上において該槽孔と対応するウインドウ部を設置し、
該少なくとも１個の吸着ユニットは該キャリアが設置する容置部中に設置する吸盤、それぞれ該各吸盤と可動連接し、しかも該キャリア片面上において露出する圧棒、及びそれぞれ該吸盤と該圧棒間に設置する弾性部品を備え、
該少なくとも１個の探知ユニットはそれぞれ該キャリアが設置する槽孔中に設置し、しかも一端が露出するプローブ、それぞれ該各プローブ反対端と圧迫接触し、しかも該キャリアが設置するウインドウ部と対応する表示部、及びそれぞれ該プローブと該表示部間に設置する弾性部品を備え、しかも該各表示部は該ウインドウ部の片面上に対応する２個の認識区を備えることを特徴とする吸着力を探知可能な吸着装置。
【請求項２】
前記キャリアは容置ユニットであることを特徴とする請求項１記載の吸着力を探知可能な吸着装置。
【請求項３】
前記キャリアはサポートユニットで、該サポートユニットは棒体を備え、該棒体の両端はそれぞれ同側が容置部を該棒体から湾曲する様に設置し、しかも該棒体の容置部に近い位置にはそれぞれ槽孔を設置し、該棒体の片面上には該槽孔と対応するウインドウ部を設置することを特徴とする請求項１記載の吸着力を探知可能な吸着装置。
【請求項４】
前記サポートユニットは上蓋及び下蓋により構成し、しかも該容置部及び該槽孔は該下蓋の両端に設置し、該上蓋は該容置部と連通する欠口を設置し、該ウインドウ部は該欠口の片側に近接し設置することを特徴とする請求項１記載の吸着力を探知可能な吸着装置。
【請求項５】
前記各吸盤の片面上には延伸部を備え、該延伸部はピンと圧棒により可動連接されることを特徴とする請求項１記載の吸着力を探知可能な吸着装置。
【請求項６】
前記各プローブは少なくとも一部が槽孔において露出する圧迫接触部、該圧迫接触部片面に延伸設置する螺棒、及び該螺棒上に嵌設し該表示部底面と接触する固定部品により構成することを特徴とする請求項１記載の吸着力を探知可能な吸着装置。
【請求項７】
前記各表示部の２個の認識区は異なる色を認識可能であることを特徴とする請求項１記載の吸着力を探知可能な吸着装置。